(57)【要約】【課題】リード線を伝った錠ケース内への雨水等の侵入を確実に防止することにより、短絡等の故障を確実に防止することのできる錠装置の提供を目的とする。【解決手段】錠ケース１内に収容され、施解錠操作装置２により施解錠駆動されるデッドボルト３と、  錠ケース１内に収容される通電部品に接続されるリード線４とを有し、  前記錠ケース１へのリード線引き込み口５近傍には、下方に向かう凸形状に屈曲させたリード線４を収容可能な屈曲布線収容部６が区画されるとともに、  屈曲布線収容部６の底面に水抜き孔７が形成される。【選択図】  図４
2008127782.tif 000002
【特許請求の範囲】
【請求項１】
錠ケース内に収容され、施解錠操作装置により施解錠駆動されるデッドボルトと、
錠ケース内に収容される通電部品に接続されるリード線とを有し、
前記錠ケースへのリード線引き込み口近傍には、下方に向かう凸形状に屈曲させたリード線を収容可能な屈曲布線収容部が区画されるとともに、
屈曲布線収容部の底面に水抜き孔が形成される錠装置。
【請求項２】
前記屈曲布線収容部内にはリード線を屈曲させるための布線ガイドが形成される請求項１記載の錠装置。
【請求項３】
前記デッドボルトを駆動するアクチュエータと、アクチュエータの動力を伝達するギア列をユニットケース内に収容した動力ユニットを錠ケース内に有し、
前記屈曲布線収容部がユニットケースに形成される請求項１または２記載の錠装置。
【発明の詳細な説明】
【技術分野】
【０００１】
本発明は、錠装置に関するものである。
【背景技術】
【０００２】
内部に通電部を収容した錠装置としては、特許文献１に記載のものが知られている。この従来例において、錠装置は錠ケース内にソレノイド、マイクロスイッチ等の通電部品を収納して形成される。これら通電部品への電力、あるいは制御信号の供給のために、錠ケーから外部にリード線が引き出される。
【特許文献１】実公平３-２３４９４号公報
【発明の開示】
【発明が解決しようとする課題】
【０００３】
しかし、上述した従来例において、錠ケース外に引き出されたリード線を伝って錠ケース内に雨水等が侵入すると、通電部品の短絡等の原因となる。
【０００４】
本発明は、以上の欠点を解消すべくなされたものであって、リード線を伝った錠ケース内への雨水等の侵入を確実に防止することにより、短絡等の故障を確実に防止することのできる錠装置の提供を目的とする。
【課題を解決するための手段】
【０００５】
錠装置は、錠ケース１内に収容したデッドボルト３を施解錠操作装置２により駆動可能に形成される。施解錠操作装置２には、モータ等のアクチュエータ９を動力とするもの、あるいはシリンダ錠２Ｂ、サムターン装置２Ｃ等の手動による装置であってもよい。
【０００６】
錠ケース１内には、上記アクチュエータ９、あるいはこの制御回路、または各種センサ等の通電部品が収容され、錠ケース１外に引き出されるリード線４を介して外部装置に接続される。リード線４は、錠ケース１内部に引き込まれるに先立って、屈曲布線収容部６において下に凸形状となるように曲げられる。
【０００７】
この状態でリード線４を伝って錠ケース１内に達した雨水は、屈曲布線収容部６内での布線ルートの最低位置である屈曲部下端から上昇することができないために、それから先に侵入することはない。また、屈曲部下端まで導かれた雨水は、やがてリード線４から滴下し、屈曲布線収容部６の底壁に開設された水抜き孔７から錠ケース１外に排出されるために、錠ケース１内部への水の侵入を完全に防止できる。
【０００８】
屈曲布線収容部６は、リード線４を屈曲させるスペースを提供するだけで足りるが、屈曲布線収容部６内に布線ガイド８を形成し、リード線４を巻き込むと、錠ケース１に特別なリード線拘束手段を設けることなく、リード線４が引っ張られたときの屈曲部の解消、あるいは通電部品への過負荷を防止することができる。
【０００９】
また、錠装置の錠ケース１内に収容されたアクチュエータ９により駆動される電気錠として構成する場合には、アクチュエータ９、通電部品をユニットケース１０内に収容し、該ユニットケース１０に屈曲布線収容部６と水抜き孔７を設けることができる。  
【発明の効果】
【００１０】
本発明によれば、リード線を伝った錠ケース内への雨水等の侵入を確実に防止することにより、短絡等の故障を確実に防止することができる。
【発明を実施するための最良の形態】
【００１１】
図１に示すように、錠装置は、錠ケース１内に収容されるデッドボルト３を備える。錠ケース１の前端面（本明細書において、デッドボルト３が飛び出す方向を「前方」とし、「上下」「側方」は扉体に固定した姿勢を基準に決定する。）には、図外の扉体内に挿入して固定するときの扉体への固定用フランジを提供する取付プレート１ａと、扉体への固定後に取付用ビスを隠すための化粧プレート１ｂがねじ止めされる。
【００１２】
デッドボルト３は、板材を断面Ｕ字形状に屈曲させて前後に長く形成され、図１（ａ）に示すように、前端が取付プレート１ａ、および化粧プレート１ｂを貫通して錠ケース１外に飛び出す施錠位置と、図１（ｂ）に示すように、錠ケース１内に没入した解錠位置との間で進退移動する。
【００１３】
上記デッドボルト３を駆動するために、錠ケース１内には電動の施解錠操作装置２として機能する動力ユニット２Ａが固定される。動力ユニット２Ａは、後述するように、所定の操作命令に基づいて回転出力軸１１に回転出力を出力するように構成され、回転出力軸１１に出力される回転動力は、回転出力軸１１に連結される平歯車からなる出力ギア１２、この出力ギア１２に噛合するラック杆１３を介して回転カム１４に伝達される。回転カム１４が回転駆動されると、回転カム１４のデッド操作リンク部１４ａがデッドボルト３の後端に突設される操作突出部３ａを押圧し、デッドボルト３を進退駆動する。
【００１４】
また、錠装置には手動の施解錠操作装置２として、シリンダ錠２Ｂと、サムターン装置２Ｃを連結することができる。図２に示すように、錠ケース１の側方壁に開設され、回転カム１４を臨む取付孔１ｃからシリンダ錠２Ｂ等の取付突部２ａを挿入して錠ケース１に固定すると、シリンダ錠２Ｂ等への操作により回転する連結子２ｂが回転カム１４のカム孔１４ｂに挿入する。
【００１５】
後述するように、回転出力軸１１は施解錠反転方向に空転自在であり、シリンダ錠２Ｂ等を現在の状態を反転させる方向に操作すると、動力ユニット２Ａの規制を受けることなく回転カム１４を回転させ、デッドボルト３を反転位置に移動させることができる。
【００１６】
図３以下に動力ユニット２Ａの詳細を示す。動力ユニット２Ａは、アクチュエータ９としてのモータ、モータ９の動力を回転出力軸１１の回転動力に変換する歯車列、およびモータ９の制御に必要なスイッチ等をユニットケース１０内に収容して形成される。ユニットケース１０は一対のケース半体１０ａ、１０ａを連結して形成され、歯車列は、モータ９の回転軸に固定されるウォーム１５の回転を、ウォームホイル１６、第１ギア１７、第２ギア１８、最終段ギア１９、回転出力軸１１の順に伝達するように構成される。
【００１７】
２０はユニットケース１０内に収容される実装基板であり、外部からユニットケース１０内に引き込まれたリード線４は、実装基板２０上に固定されたコネクタ２０ａにプラグイン接続される。実装基板２０には、所定のパターン配線を介して図示しない各種センサ、制御部が接続され、モータ９の駆動制御が行われる。
【００１８】
また、最終段ギア１９と回転出力軸１１との間には、施解錠操作ストロークに対応する遊び角が設定されるとともに、モータ９は、例えば施錠方向に駆動された場合には、回転出力軸１１を施錠方向に回転させた後、遊び角の範囲で反転駆動される。この結果、回転出力軸１１は歯車列の規制を受けることなく解錠方向への回転が可能なり、シリンダ錠２Ｂ等の施解錠操作装置２による解錠操作を可能にする。
【００１９】
図４に示すように、上記ユニットケース１０にはリード線引き込み口５が開設され、このリード線引き込み口５近傍に屈曲布線収容部６がユニットケース１０上に形成された隔壁１０ｂにより区画される。リード線引き込み口５は、ユニットケース１０の上端後方に開設され、屈曲布線収容部６は、リード線引き込み口５を上端とした縦長の領域として設定される。
【００２０】
また、屈曲布線収容部６の中央部には、円筒形状の布線ガイド８が立設され、屈曲布線収容部６の底壁部最低部に水抜き孔７が開設される。引き込み開口から屈曲布線収容部６に引き込まれたリード線４は図４（ｃ）に示すように、布線ガイド８を巻き込むように屈曲された後、上方に折り返すように布線される。布線作業終了後、屈曲布線収容部６、およびその近傍には、図４（ａ）に示すように、ハーネス押さえ２１が装着され、リード線４のギアへの噛み込みが防止される。
【００２１】
以上のように構成されるユニットケース１０は、図１に示すように、リード線引き込み口５を錠ケース１から露出させた状態で錠ケース１に固定される。錠ケース１への固定に際し、布線ガイド８の中空部は、固定ビスの挿通スペースとして利用される。
【００２２】
したがってこの実施の形態において、リード線４を伝って雨水等が錠ケース１、正確にはユニットケース１０内に侵入すると、屈曲布線収容部６内で下に向かって凸形状に屈曲された屈曲部に滞留し、やがて滴下する。滴下した水滴は、ユニットケース１０の水抜き孔７からケース内に排出された後、ユニットケース１０の外壁面と錠ケース１内壁面との間に形成される導水間隙を伝って下方に移動した後、錠ケース１外に排出され、錠ケース１内部、特に、通電部品等が配置される領域に進入することはない。
【図面の簡単な説明】
【００２３】
【図１】本発明を示す図で、（ａ）は施錠状態を示す図、（ｂ）は解錠状態を示す図である。
【図２】シリンダ錠を装着した状態を示す断面図である。
【図３】動力ユニットを示す図で、（ａ）は斜視図、（ｂ）は動力ユニットの内部を示す図である。
【図４】動力ユニットの要部を示す図で、（ａ）はハーネス押さえの取付状態を示す斜視図、（ｂ）は動力ユニットを後方から見た図、（ｃ）は布線完了状態を示す図である。
【符号の説明】
【００２４】
１        錠ケース
２        施解錠操作装置
２Ａ      動力ユニット
３        デッドボルト
４        リード線
５        リード線引き込み口
６        屈曲布線収容部
７        水抜き孔
８        布線ガイド
９        アクチュエータ
１０      ユニットケース
【図１】
2008127782.tif 000003
【図２】
2008127782.tif 000004
【図３】
2008127782.tif 000005
【図４】
2008127782.tif 000006